(57)【要約】      （修正有）【課題】簡単な操作により、種々の径のワイヤハーネスに対して適切な保持力を確保することができるとともに、クリップとワイヤハーネス間のオフセット長を容易に変更することができるワイヤハーネス用クランプを提供する。【解決手段】支持パネルＰの取付孔に係止されるクリップ部２２と、一端部がクリップ部２２と一体に設けられた長矩形状のクリップ側オフセット板部２４と、クリップ側オフセット板部２４の他端部に設けられたクリップ側接続ロック部２６と、を有するオフセットクリップ２０と、長矩形状のガイド側オフセット板部３４と、ガイド側オフセット板部３４の一端部に設けられ、ワイヤハーネス８０の外周面を受けるように対応する横断面視円弧状のガイド壁部３２と、ガイド側オフセット板部３４の他端部に設けられ、クリップ側接続ロック部２６に嵌合し、嵌合状態をロックするガイド側接続ロック部３６と、を有するガイド３０と、を備えている。【選択図】図２
2017112717.tif 000002
【特許請求の範囲】
【請求項１】
支持パネルの取付孔に係止されるクリップ部と、一端部が前記クリップ部と一体に設けられた長矩形状のクリップ側オフセット板部と、前記クリップ側オフセット板部の他端部に設けられたクリップ側接続ロック手段と、を有するオフセットクリップと、
長矩形状のガイド側オフセット板部と、前記ガイド側オフセット板部の一端部に設けられ、ワイヤハーネスの外周面を受けるように対応する横断面視円弧状のガイド壁部と、前記ガイド側オフセット板部の他端部に設けられ、前記クリップ側接続ロック手段に嵌合し、嵌合状態をロックするガイド側接続ロック手段と、を有するガイドと、
を備えたことを特徴とするワイヤハーネス用クランプ。
【請求項２】
前記クリップ側接続ロック手段は、Ｃ型チャンネル形状のＣ型チャンネル部と、前記Ｃ型チャンネル部の上面部端部に設けられた凹状のロック凹部と、を有し、
前記ガイド側接続ロック手段は、横スライドにより前記Ｃ型チャンネル部に嵌合するよう凸状に形成された接続凸部と、前記横スライドにより前記ロック凹部に嵌合するよう前記接続凸部の上面端部に設けられた凸状のロック凸部と、を有することを特徴とする請求項１に記載のワイヤハーネス用クランプ。
【請求項３】
前記ガイド側接続ロック手段は、先細テーパ状の複数のテーパ凸部と、前記各テーパ凸部の基部または先端部の少なくともいずれかに設けられた環状の係合凸部と、を有し、
前記クリップ側接続ロック手段は、前記複数のテーパ凸部にそれぞれ嵌合するよう先細凹状に形成された複数のテーパ凹部と、前記各係合凸部に係合するよう前記テーパ凹部の基部または先端部に環状に形成された係合凹部と、を有することを特徴とする請求項１に記載のワイヤハーネス用クランプ。
【発明の詳細な説明】
【技術分野】
【０００１】
本発明は、支持パネルへの固定点から離れた位置でワイヤハーネスの配策経路を規制するオフセットクリップを用いるワイヤハーネス用クランプに関する。
【背景技術】
【０００２】
従来、車両内でワイヤハーネスの配索経路を規制するためにクリップが用いられている。しかし、障害物等がある場合、支持パネルへのクリップ固定点の真上で配索経路を規制する通常の真上タイプのクリップでは障害物等との干渉を回避できないことがある。そのような場合、支持パネルへのクリップ固定点からある程度離れた位置でワイヤハーネスの配策経路を規制することができるオフセットクリップが使用されている。
【０００３】
従来のこの種のオフセットクリップとしては、例えば、支持パネルへの固定点に対してワイヤハーネスの長手方向と直交する方向に離れた位置で配索経路を規制するものが知られている（例えば、特許文献１参照）。
【０００４】
図８に示すように、特許文献１には、Ｔ形状のオフセット型の基板１０２と、基板１０２のオフセット板部１０６の端部に設けられたクリップ部１０７と、ワイヤハーネス１２０を結束するバンドタイプの固定材１０３と、を有するワイヤハーネス用クランプが開示されている。ワイヤハーネス１２０は、基板１０２のうち横方向に延びた長方形状の搭載部１０５に載置され、搭載部１０５と共にワイヤハーネス１２０をバンド１０８で結束している。
【先行技術文献】
【特許文献】
【０００５】
【特許文献１】特開２０１０−２３３２８１号公報
【発明の概要】
【発明が解決しようとする課題】
【０００６】
しかしながら、特許文献１に記載のワイヤハーネス用クランプにあっては、板状の搭載部１０５にワイヤハーネス１２０を載置して両端をバンド１０８で固定しているので、搭載部１０５がワイヤハーネス１２０の外面に密着することができず、保持力が十分ではなかった。また、搭載部１０５が板状であるため、径の異なるワイヤハーネスにそれぞれ適切な保持力を確保することが難しかった。また、クリップ部１０７からワイヤハーネス１２０までの距離であるオフセット長が固定されており、オフセット長を変更するには、ワイヤハーネス用クランプ全体を取り換える必要があった。
【０００７】
本発明は、上述のような課題を解決するためになされたもので、簡単な操作により、種々の径のワイヤハーネスに対して適切な保持力を確保することができるとともに、クリップとワイヤハーネス間のオフセット長を容易に変更することができるワイヤハーネス用クランプを提供することを目的とする。
【課題を解決するための手段】
【０００８】
本発明に係るワイヤハーネス用クランプは、上記目的達成のため、支持パネルの取付孔に係止されるクリップ部と、一端部が前記クリップ部と一体に設けられた長矩形状のクリップ側オフセット板部と、前記クリップ側オフセット板部の他端部に設けられたクリップ側接続ロック手段と、を有するオフセットクリップと、長矩形状のガイド側オフセット板部と、前記ガイド側オフセット板部の一端部に設けられ、ワイヤハーネスの外周面を受けるように対応する横断面視円弧状のガイド壁部と、前記ガイド側オフセット板部の他端部に設けられ、前記クリップ側接続ロック手段に嵌合し、嵌合状態をロックするガイド側接続ロック手段と、を有するガイドと、を備えた構成である。
【０００９】
この構成により、オフセットクリップとガイドとがクリップ側およびガイド側の接続ロック手段によって接続される。これにより、ワイヤハーネスの径に適合したガイド壁部を有するガイドに取り換えることが容易になる。よって、簡単なガイド取換え作業により、種々の径のワイヤハーネスに対して適切な保持力を確保することができる。また、必要な長さのクリップ側オフセット板部を有するオフセットクリップに取り換えるだけで、所望のオフセット長を有するワイヤハーネス用クランプを、容易に構成することができる。
【００１０】
前記クリップ側接続ロック手段は、Ｃ型チャンネル形状のＣ型チャンネル部と、前記Ｃ型チャンネル部の上面部端部に設けられた凹状のロック凹部と、を有し、前記ガイド側接続ロック手段は、横スライドにより前記Ｃ型チャンネル部に嵌合するよう凸状に形成された接続凸部と、前記横スライドにより前記ロック凹部に嵌合するよう前記接続凸部の上面端部に設けられた凸状のロック凸部と、を有する構成としてもよい。
【００１１】
この構成により、簡単な横スライド操作によりオフセットクリップとガイドとを接続することができる。併せて、接続状態がロックされるので、Ｃ型チャンネル部から接続凸部が不用意に抜けることもない。
【００１２】
前記ガイド側接続ロック手段は、先細テーパ状の複数のテーパ凸部と、前記各テーパ凸部の基部または先端部の少なくともいずれかに設けられた環状の係合凸部と、を有し、前記クリップ側接続ロック手段は、前記複数のテーパ凸部にそれぞれ嵌合するよう先細凹状に形成された複数のテーパ凹部と、前記各係合凸部に係合するよう前記テーパ凹部の基部または先端部に環状に形成された係合凹部と、を有する構成としてもよい。
【００１３】
この構成により、簡単な押し込み操作によりオフセットクリップとガイドとを接続することができる。併せて、接続状態がロックされるので、テーパ凸部がテーパ凹部から不用意に抜けることもない。
【発明の効果】
【００１４】
本発明によれば、簡単な操作により、種々の径のワイヤハーネスに対して適切な保持力を確保することができるとともに、クリップとワイヤハーネス間のオフセット長を容易に変更することができるワイヤハーネス用クランプを提供することができる。
【図面の簡単な説明】
【００１５】
【図１】本発明の第１の実施形態に係るワイヤハーネス用クランプを示し、図１（ａ）はオフセットクリップにガイドを装着する前の状態を示す斜視図であり、図１（ｂ）は装着後のワイヤハーネス用クランプの斜視図である。
【図２】図１のワイヤハーネス用クランプにワイヤハーネスが取付けられた状態を示し、図２（ａ）はオフセットクリップにガイドを装着する前の状態を示す斜視図であり、図２（ｂ）は装着後のワイヤハーネス用クランプの斜視図である。
【図３】図３（ａ）は、第１の実施形態に係るワイヤハーネス用クランプの部分断面側面図であり、図３（ｂ）は、オフセット長を変更したワイヤハーネス用クランプの部分断面側面図である。
【図４】第１の実施形態に係るワイヤハーネス用クランプにおいて、ガイド壁部の円弧半径を変更した例を示す説明図である。
【図５】本発明の第２の実施形態に係るワイヤハーネス用クランプを示し、図５（ａ）はオフセットクリップにガイドを装着する前の状態を示す斜視図であり、図５（ｂ）は装着後のワイヤハーネス用クランプの斜視図である。
【図６】図５のワイヤハーネス用クランプにワイヤハーネスが取付けられた状態を示し、図６（ａ）はオフセットクリップにガイドを装着する前の状態を示す斜視図であり、図６（ｂ）は装着後のワイヤハーネス用クランプの斜視図である。
【図７】第２の実施形態に係るワイヤハーネス用クランプを示し、図７（ａ）はオフセットクリップにガイドを装着する前の状態を示す部分断面側面図であり、図７（ｂ）は装着後のワイヤハーネス用クランプの部分断面側面図である。
【図８】特許文献１に記載のワイヤハーネス用クランプの斜視図である。
【発明を実施するための形態】
【００１６】
以下、本発明に係る実施の形態について図面を参照して説明する。
【００１７】
（第１の実施形態）
図１に示すように、本発明の第１の実施形態に係るワイヤハーネス用クランプ１０は、オフセットクリップ２０と、ガイド３０と、を備えている。オフセットクリップ２０にガイド３０を着脱自在に装着することで、ワイヤハーネス用クランプ１０が組み立てられる。ワイヤハーネス用クランプ１０は、ポリアミド、ポリエステル、ポリプロピレン等から選ばれる樹脂製成形体からなり、耐久性、耐候性、耐熱性、耐寒性、適度の剛性および肉厚調整や長さ効果により適度の可撓性を有する。
【００１８】
オフセットクリップ２０は、支持パネルＰの取付孔Ｐ１に係止されるクリップ部２２（図３（ａ）参照）と、一端部がクリップ部２２と一体に設けられた長矩形状のクリップ側オフセット板部２４と、クリップ側オフセット板部２４の他端部に設けられたクリップ側接続ロック手段であるクリップ側接続ロック部２６と、を有している。
【００１９】
図２に示すように、クリップ部２２は、支持パネルＰの取付孔Ｐ１よりも大きい皿部２２ａ（図３（ａ）参照）と、皿部２２ａの凹面中央部より一体に突出したステム２２ｂと、ステム２２ｂの先端部から折り返し状に一体に設けられた一対のフック部２２ｃと、を備えている。フック部２２ｃは、皿部２２ａの方向に延びていて、先端部に複数の係止爪２２ｄを有し、全体として碇形に形成されている。係止爪２２ｄは、取付時に支持パネルＰの取付孔Ｐ１の周縁に係合する。なお、フック部２２ｃは、係止爪を３〜６個有する構成であってもよい。
【００２０】
フック部２２ｃは、取付時に、取付孔Ｐ１に挿通され、複数の係止爪２２ｄが取付孔Ｐ１の孔面に摺接しつつ縮径することにより取付孔Ｐ１を通過し、通過時点で、拡径して支持パネルＰの皿部２２ａが密着する面と反対側の面の取付孔Ｐ１の周縁に係合するようになっている。このように、取付時には、皿部２２ａとフック部２２ｃとで支持パネルＰを挟持した構造となっている。
【００２１】
クリップ側オフセット板部２４は、その一端部が、皿部２２ａのステム２２ｂが取付けられた面と反対側の面に一体に設けられている。クリップ側オフセット板部２４は、長矩形の板状に構成されている。
【００２２】
クリップ側接続ロック部２６は、クリップ側オフセット板部２４の他端部に設けられ、ガイド側接続ロック部３６に嵌合して、オフセットクリップ２０とガイド３０とを接続する機能を有する。クリップ側接続ロック部２６が設けられている板状部は、クリップ側オフセット板部２４より板厚を大きくし、強度を高めている。構造については後で詳細に説明する。
【００２３】
図１および図２に示すように、ガイド３０は、長矩形状のガイド側オフセット板部３４と、ガイド側オフセット板部３４の一端部に設けられ、ワイヤハーネス８０の外周面を受けるように対応する横断面視円弧状のガイド壁部３２と、ガイド側オフセット板部３４の他端部に設けられ、クリップ側接続ロック部２６に嵌合し、嵌合状態をロックするガイド側接続ロック手段であるガイド側接続ロック部３６と、を有している。
【００２４】
ガイド側オフセット板部３４は、その一端部が、ガイド壁部３２および底板部３５と一体に設けられ、他端部が、ガイド側接続ロック部３６と一体に設けられている。このガイド側オフセット板部３４は、長矩形の板状に構成されている。また、図２に示すように、ガイド側オフセット板部３４は、複数の被覆電線８２を含むワイヤハーネス８０の長手方向と直交する方向にガイド壁部３２および底板部３５から延在している。
【００２５】
ガイド壁部３２は、図３に示すように、横断面視で半径Ｒ１の円弧状であり、長手方向に所要長さを有しており（図１参照）、底板部３５に支持されている。図３では、円弧の中心角は約９０°であるが、これに限定されるものではなく、必要とされる保持力に応じて任意に設定することができる。このガイド壁部３２は、半径Ｒ１のワイヤハーネス８０の外周面に密着させることができるので、ガイド壁部３２の両端部にてワイヤハーネス８０をテープ巻きで固定した場合にも、十分な保持力を確保することができる（図２参照）。なお、図２では、ガイド壁部３２の湾曲面側にワイヤハーネス８０を配置して粘着テープ８４で固定しているが、粘着テープ８４の代わりに、結束バンドにより固定してもよい。
【００２６】
次に、オフセットクリップ２０とガイド３０との接続構造について説明する。
図２に示すように、クリップ側接続ロック部２６は、Ｃ型チャンネル形状のＣ型チャンネル部２７と、Ｃ型チャンネル部２７の上面部２７ａの端部に設けられた凹状のロック凹部２８と、を有している。
【００２７】
具体的には、Ｃ型チャンネル部２７は、クリップ側オフセット板部２４の端部に一体に設けられた厚板の端面上端から延在した上面部２７ａと、端面下端から延在した下面部２７ｂと、上面部２７ａの先端から下方に延在した上側凸部２７ｃと、下面部２７ｂの先端から上方に延在した下側凸部２７ｄと、を有し、側面視でＣ型形状となっている。ロック凹部２８は、上面部２７ａの端部に設けられた貫通孔である。
【００２８】
図２に示すように、ガイド側接続ロック部３６は、横スライドによりＣ型チャンネル部２７に嵌合するよう凸状に形成された接続凸部３７と、横スライドによりロック凹部２８に嵌合するよう接続凸部３７の上面３７ａの端部に設けられた凸状のロック凸部３８と、を有している。
【００２９】
具体的には、接続凸部３７は、Ｃ型チャンネル部２７に対応して直方体形状となっており、接続凸部３７の基部の上下には、Ｃ型チャンネル部２７の上側凸部２７ｃと下側凸部２７ｄとが嵌合するように溝部３７ｂが形成されている。これにより、嵌合後には接続凸部３７がＣ型チャンネル部２７から縦方向に抜け出すことがない。ロック凸部３８は、接続凸部３７の上面部２７ａの端部に設けられ、端部方向に厚みを増すように楔形になっている。
【００３０】
図１に示すように、オフセットクリップ２０とガイド３０とを接続する場合、ガイド３０をＡ方向に横スライドさせて、Ｃ型チャンネル部２７に接続凸部３７を嵌合させていき、最後にクリップ側のロック凹部２８がガイド側のロック凸部３８に係合する。この際、ロック凸部３８は楔形に傾斜しているので、容易に係合させることができ、一旦係合すると容易に外れない。オフセットクリップ２０とガイド３０を分離する場合には、ロック凹部２８の上部からロック凸部３８を工具等で押し下げることにより、嵌合状態を解除することができる。なお、オフセットクリップ２０をＡ方向と反対方向に横スライドさせて、Ｃ型チャンネル部２７に接続凸部３７を嵌合させるようにしてもよいことは勿論である。
【００３１】
次に、オフセット長の変更方法について説明する。
図３（ａ）は、ワイヤハーネス用クランプ１０の部分断面側面図であり、符号８０がワイヤハーネスを示している。クリップ部２２からワイヤハーネス８０までの距離Ｌ１がオフセット長である。一方、図４（ｂ）は、オフセット長をＬ２に変更したワイヤハーネス用クランプ１０ａを示している。図３（ａ）のワイヤハーネス用クランプ１０と図３（ｂ）のワイヤハーネス用クランプ１０ａとは、図３（ａ）のクリップ側オフセット板部２４と図３（ｂ）のクリップ側オフセット板部２４ａとの長さが違う点でのみ相違している。これにより、オフセット長がＬ１からＬ２に変更されている。
【００３２】
このように、長さの違うクリップ側オフセット板部２４、２４ａを有するオフセットクリップ２０、２０ａをいくつか用意しておき、所望のオフセット長となるようなクリップ側オフセット板部を有するオフセットクリップを選択あるいは交換することにより、オフセット長を容易に変更することができる。
【００３３】
また、長さの違うクリップ側オフセット板部２４ａを有するオフセットクリップ２０ａに取り換えることにより、オフセット長を変更する代わりに、またはそれに加えて、長さの違うガイド側オフセット板部を有するガイドに取り換えることにより、オフセット長を変更するようにしてもよい。
【００３４】
次に、種々の径のワイヤハーネスへの対応方法について説明する。
図３（ａ）、図４（ａ）、図４（ｂ）にそれぞれ示すワイヤハーネス用クランプ１０、１０ｂ、１０ｃは、ガイド壁部３２、３２ａ、３２ｂの円弧の半径Ｒ１、Ｒ２、Ｒ３がお互いに異なっている（Ｒ１＜Ｒ２＜Ｒ３）。すなわち、図３（ａ）のワイヤハーネス用クランプ１０は、半径Ｒ１のワイヤハーネス８０を保持し、図４（ａ）のワイヤハーネス用クランプ１０ｂは、半径Ｒ２のワイヤハーネス８０ａを保持し、図４（ｂ）のワイヤハーネス用クランプ１０ｃは、半径Ｒ３のワイヤハーネス８０ｂを保持するよう構成されている。
【００３５】
このように、異なる円弧半径のガイド壁部３２、３２ａ、３２ｂを有するガイド３０、３０ａ、３０ｂをいくつか用意しておき、所望の円弧半径のガイド壁部を有するガイドを選択することにより、種々の径のワイヤハーネスに容易に対応することができる。
【００３６】
次に、作用・効果について説明する。
本実施の形態に係るワイヤハーネス用クランプ１０は、オフセットクリップ２０とガイド３０とがクリップ側接続ロック部２６およびガイド側接続ロック部３６によって着脱自在に接続される。これにより、ワイヤハーネス８０の径に適合したガイド壁部３２を有するガイド３０に取り換えることが容易になる。よって、簡単なガイド取換え作業により、種々の径のワイヤハーネス８０、８０ａ、８０ｂに対して適切な保持力を確保することができる。
【００３７】
また、必要な長さのクリップ側オフセット板部２４ａを有するオフセットクリップ２０ａに取り換えるだけで、所望のオフセット長を有するワイヤハーネス用クランプ１０ａを容易に構成することができる。
【００３８】
しかも、本実施の形態に係るワイヤハーネス用クランプ１０は、簡単な横スライド操作によりオフセットクリップ２０とガイド３０とを接続することができる。併せて、接続状態がロックされるので、Ｃ型チャンネル部２７から接続凸部３７が不用意に抜けることもない。
【００３９】
（第２の実施形態）
次に、図５〜図７を参照して本発明の第２の実施形態に係るワイヤハーネス用クランプ４０について説明する。
ワイヤハーネス用クランプ４０は、クリップ側接続ロック部５６およびガイド側接続ロック部６６以外の構成が前述の第１の実施形態のワイヤハーネス用クランプ１０と同様な構成を有しているので、同様な構成については第１の実施形態中の対応する構成要素の符号を用いて説明を省略する。
【００４０】
図５および図６に示すように、ガイド側接続ロック部６６は、先細テーパ状の複数のテーパ凸部６７と、各テーパ凸部６７の基部および先端部に設けられた環状の係合凸部６７ａ、６７ｂと、を有している。係合凸部６７ａ、６７ｂは、各テーパ凸部６７の基部または先端部の少なくともいずれかに設けるようにしてもよい。
【００４１】
具体的には、図７に示すように、テーパ凸部６７は、先細の円錐台形状であり、基部の係合凸部６７ａおよび先端部の係合凸部６７ｂも、先細の円錐台形状である。ガイド側接続ロック部６６は、係合凸部６７ａ、テーパ凸部６７、係合凸部６７ｂの順に連接した構造である。
【００４２】
また、クリップ側接続ロック部５６は、複数のテーパ凸部６７にそれぞれ嵌合するよう先細凹状に形成された複数のテーパ凹部５７と、各係合凸部６７ａ、６７ｂに係合するようテーパ凹部５７の基部および先端部に環状に形成された係合凹部５７ａ、５７ｂと、を有している。なお、係合凹部５７ａ、５７ｂは、テーパ凹部５７の基部または先端部のいずれかに設けるようにしてもよい。
【００４３】
具体的には、図７に示すように、テーパ凹部５７は、先細の円錐台形状のテーパ凸部６７が嵌合するように先細凹状に形成されている。基部の係合凹部５７ａは、先細の円錐台形状の係合凸部６７ａが嵌合するように先細凹状に形成されている。先端部の係合凹部５７ｂは、先細の円錐台形状の係合凸部６７ｂが嵌合するように先細凹状に形成されている。
【００４４】
上記構成により、第２の実施形態に係るワイヤハーネス用クランプ４０は、簡単な押し込み操作によりオフセットクリップ５０とガイド６０とを着脱自在に接続することができる。併せて、接続状態がロックされるので、テーパ凸部６７がテーパ凹部５７から不用意に抜けることもない。
【００４５】
本発明は、上記の実施の形態に限定されるものではなく、特許請求の範囲の技術的範囲には、発明の要旨を逸脱しない範囲内で、種々、設計変更した形態が含まれる。例えば、第２の実施形態に係るガイド側接続ロック部６６のテーパ凸部６７に代えて、柱状本体の先端に球状の突起が形成されたものとし、それに対応する凹部をクリップ側接続ロック部５６として形成してもよい。
【００４６】
以上のように、本発明は、簡単な操作により、種々の径のワイヤハーネスに対して適切な保持力を確保することができるとともに、クリップとワイヤハーネス間のオフセット長を容易に変更することができるという効果を有し、オフセットクリップを用いるワイヤハーネス用クランプ全般に有用である。
【符号の説明】
【００４７】
１０、４０  ワイヤハーネス用クランプ
２０、５０  オフセットクリップ
２２  クリップ部
２４  クリップ側オフセット板部
２６、５６  クリップ側接続ロック部（クリップ側接続ロック手段）
２７  Ｃ型チャンネル部
２８  ロック凹部
３０、６０  ガイド
３２  ガイド壁部
３４  ガイド側オフセット板部
３６、６６  ガイド側接続ロック部（ガイド側接続ロック手段）
３７  接続凸部
３８  ロック凸部
５７  テーパ凹部
６７  テーパ凸部
８０  ワイヤハーネス
【図１】
2017112717.tif 000003
【図２】
2017112717.tif 000004
【図３】
2017112717.tif 000005
【図４】
2017112717.tif 000006
【図５】
2017112717.tif 000007
【図６】
2017112717.tif 000008
【図７】
2017112717.tif 000009
【図８】
2017112717.tif 000010